(57)【要約】【課題】ソーシャル・ネットワーキング・サービスで行われている交流の内容を、携帯通信端末を操作して簡単に画像形成装置で印刷できるようにする。【解決手段】印刷システム１０は、サーバー５側の機構と、携帯通信端末３と、画像形成装置１側の機構とを備える。携帯通信端末３は、ソーシャル・ネットワーキング・サービスで行われた交流の内容を示す交流データをサーバー５から取得する交流データ取得部３０２と、取得された交流データを配置して印刷用データを作成するために用いるレイアウト情報及び画像を含んでなる定型フォームを記憶する定型フォーム記憶部３０３と、定型フォームのレイアウト情報に従って、交流データを上記画像上に配置することで印刷用データを作成する印刷用データ作成部３０４と、印刷用データ作成部３０４により作成された印刷用データを画像形成装置１に送信する送信部３０５とを備える。【選択図】図１
2017187561.tif 000002
【特許請求の範囲】
【請求項１】
サーバー側機構と、携帯通信端末と、画像形成装置側機構とを備えた印刷システムであって、
前記携帯通信端末は、
前記サーバーにより提供されるソーシャル・ネットワーキング・サービスで行われた交流の内容を示す交流データを、前記サーバーから取得する交流データ取得部と、
前記交流データ取得部により取得された前記交流データを用いて印刷用データを作成するためのレイアウト情報及び画像を含んでなる定型フォームを記憶する定型フォーム記憶部と、
前記定型フォーム記憶部に記憶されている前記定型フォームの前記レイアウト情報に従って、前記交流データを前記画像上に配置することで印刷用データを作成する印刷用データ作成部と、
前記印刷用データ作成部により作成された前記印刷用データを前記画像形成装置に送信する送信部とを備え、
前記サーバー側機構は、
前記ソーシャル・ネットワーキング・サービスで行われた各交流の内容を示すそれぞれの前記交流データを記憶する交流データ記憶部と、
前記携帯通信端末からの要求に対応する前記交流データを前記交流データ記憶部から読み出し、当該読み出した前記交流データを前記携帯通信端末に送信する交流データ送信部とを備え、
前記画像形成装置側機構は、
前記携帯通信端末から受信した前記印刷用データを、前記画像形成装置側機構の一部をなす画像形成装置により印刷可能なデータ形式に変換する変換部と、前記変換部により前記変換が行われた前記印刷用データを用いて画像形成を行う画像形成部と、を備える印刷システム。
【請求項２】
前記交流データは、少なくともキャラクターデータ又は画像を含んで構成される請求項１に記載の印刷システム。
【請求項３】
前記携帯通信端末の前記交流データ取得部は、
前記サーバーから取得する前記交流データの客体又は時期の少なくとも一方の範囲を指定する範囲指定情報を受け付ける範囲指定受付部と、
前記範囲指定受付部により受け付けられた前記範囲指定情報と、前記交流データの送信を要求する送信要求とを、前記サーバーに送信する送信要求部と、前記送信要求部から送信した前記範囲指定情報及び前記送信要求に対応して前記サーバーから送信されてくる前記交流データを受信する交流データ受信部とを備え、
前記サーバーの前記交流データ送信部は、前記携帯通信端末から前記範囲指定情報及び前記送信要求を受信したとき、前記範囲指定情報により指定される範囲の交流データを前記交流データ記憶部から取得し、当該取得した前記交流データを、前記携帯通信端末に送信する請求項１又は請求項２に記載の印刷システム。
【請求項４】
前記携帯通信端末において、
前記定型フォーム記憶部は、前記定型フォームに含まれる前記画像として、前記交流データを構成する各メッセージが合成されるそれぞれのメッセージ合成用画像を記憶し、
前記印刷用データ作成部は、前記各メッセージを前記メッセージ合成用画像に合成し、当該各メッセージに付随する客体情報及び時期情報に従って、前記各メッセージが合成された前記メッセージ合成用画像を客体別及び時刻順に並べて、前記印刷用データを作成する請求項３に記載の印刷システム。
【請求項５】
前記サーバー側機構は、前記交流データ送信部をクラウド上に備え、
前記携帯端末装置の前記交流データ取得部は、前記クラウド上の前記交流データ送信部を介して、前記サーバーから、前記交流データを取得する請求項１乃至請求項４のいずれかに記載の印刷システム。
【請求項６】
前記画像形成装置側機構は、前記変換部をクラウド上に備え、
前記携帯端末装置の前記送信部は、前記クラウド上の前記変換部に対して、前記印刷用データを送信する請求項１乃至請求項５のいずれかに記載の印刷システム。
【請求項７】
ソーシャル・ネットワーキング・サービスを提供するサーバーと、画像形成装置と通信する携帯通信端末であって、
前記ソーシャル・ネットワーキング・サービスで行われた交流の内容を示す交流データを、前記サーバーから取得する交流データ取得部と、
前記交流データ取得部により取得された前記交流データを用いて印刷用データを作成するためのレイアウト情報及び画像を含んでなる定型フォームを記憶する定型フォーム記憶部と、
前記定型フォーム記憶部に記憶されている前記定型フォームの前記レイアウト情報に従って、前記交流データを前記画像上に配置することで印刷用データを作成する印刷用データ作成部と、
前記印刷用データ作成部により作成された前記印刷用データを前記画像形成装置に送信する送信部とを備える携帯通信端末。
【請求項８】
サーバーにより提供されるソーシャル・ネットワーキング・サービスで行われた交流の内容を示す交流データを、前記サーバーから取得する交流データ取得部と、
前記交流データ取得部により取得された前記交流データを用いて印刷用データを作成するためのレイアウト情報及び画像を含んでなる定型フォームを記憶する定型フォーム記憶部と、
前記定型フォーム記憶部に記憶されている前記定型フォームの前記レイアウト情報に従って、前記交流データを前記画像上に配置することで印刷用データを作成する印刷用データ作成部と、
前記印刷用データ作成部により作成された前記印刷用データを前記画像形成装置に送信する送信部として、情報処理装置を機能させる印刷プログラム。
【発明の詳細な説明】
【技術分野】
【０００１】
本発明は、印刷システム、携帯端末装置、及び印刷プログラムに関し、特に、ソーシャル・ネットワーキング・サービスで行われている交流の内容を、画像形成装置で印刷する技術に関する。
【背景技術】
【０００２】
スマートフォン等の携帯通信端末で表示している内容を画像形成装置により印刷する技術が提案されている。例えば、下記特許文献１には、アプリケーションサーバーがモバイル機器から受信した電子メールを印刷用データに変換し、当該印刷用データをアプリケーションサーバーからモバイル機器が受信してプリンターアダプターに出力し、プリンターアダプターが当該印刷用データをプリンターが印刷可能な形式に変換するプリントシステムが開示されている。また、下記特許文献２には、携帯通信端末から電子メールを受信した情報処理装置が、当該電子メールに添付ファイル及び印刷指示を示す記載があると判断したとき、電子メールにより指定されている画像形成装置に、当該電子メールに添付された画像データを送信する技術が記載されている。
【先行技術文献】
【特許文献】
【０００３】
【特許文献１】特開２０００−３３９２３７号公報
【特許文献２】特開２０１３−１４５５３６号公報
【発明の概要】
【発明が解決しようとする課題】
【０００４】
しかしながら、上記特許文献１及び２に記載されている技術は、いずれも電子メールを利用して印刷を可能にするものである。これらの技術では、携帯通信端末に表示させているソーシャル・ネットワーキング・サービスで行われている会話等の交流内容を画像形成装置により印刷させることはできない。また、携帯通信端末の表示部に表示されている表示画面のスクリーンショットを作成して、これを印刷する手法も考えられるが、当該スクリーンショットを作成して印刷を行わせるまでの操作は面倒である。また、表示部に表示されている表示画面そのものしか印刷できないため、操作者所望の交流内容を印刷するには、この交流内容を一旦表示部に表示させる必要があり不便である。今日では、ソーシャル・ネットワーキング・サービスは広く用いられており、ソーシャル・ネットワーキング・サービスで行われている交流の内容を簡単に印刷できるようにすることが望まれている。【０００５】
本発明は、上記の問題を解決するためになされたものであり、ソーシャル・ネットワーキング・サービスで行われている交流の内容を、携帯通信端末を操作して簡単に画像形成装置で印刷できるようにすることを目的とする。
【課題を解決するための手段】
【０００６】
発明の一局面に係る印刷プログラムは、サーバー側機構と、携帯通信端末と、画像形成装置側機構とを備えた印刷システムであって、
前記携帯通信端末は、
前記サーバーにより提供されるソーシャル・ネットワーキング・サービスで行われた交流の内容を示す交流データを、前記サーバーから取得する交流データ取得部と、
前記交流データ取得部により取得された前記交流データを用いて印刷用データを作成するためのレイアウト情報及び画像を含んでなる定型フォームを記憶する定型フォーム記憶部と、
前記定型フォーム記憶部に記憶されている前記定型フォームの前記レイアウト情報に従って、前記交流データを前記画像上に配置することで印刷用データを作成する印刷用データ作成部と、
前記印刷用データ作成部により作成された前記印刷用データを前記画像形成装置に送信する送信部とを備え、
前記サーバー側機構は、
前記ソーシャル・ネットワーキング・サービスで行われた各交流の内容を示すそれぞれの前記交流データを記憶する交流データ記憶部と、
前記携帯通信端末からの要求に対応する前記交流データを前記交流データ記憶部から読み出し、当該読み出した前記交流データを前記携帯通信端末に送信する交流データ送信部とを備え、
前記画像形成装置側機構は、
前記携帯通信端末から受信した前記印刷用データを、前記画像形成装置側機構の一部をなす画像形成装置により印刷可能なデータ形式に変換する変換部と、前記変換部により前記変換が行われた前記印刷用データを用いて画像形成を行う画像形成部と、を備えるものである。【０００７】
また、本発明の一局面に係る携帯通信端末は、ソーシャル・ネットワーキング・サービスを提供するサーバーと、画像形成装置と通信する携帯通信端末であって、
前記ソーシャル・ネットワーキング・サービスで行われた交流の内容を示す交流データを、前記サーバーから取得する交流データ取得部と、
前記交流データ取得部により取得された前記交流データを用いて印刷用データを作成するためのレイアウト情報及び画像を含んでなる定型フォームを記憶する定型フォーム記憶部と、
前記定型フォーム記憶部に記憶されている前記定型フォームの前記レイアウト情報に従って、前記交流データを前記画像上に配置することで印刷用データを作成する印刷用データ作成部と、
前記印刷用データ作成部により作成された前記印刷用データを前記画像形成装置に送信する送信部とを備えるものである。【０００８】
また、本発明の一局面に係る印刷プログラムは、サーバーにより提供されるソーシャル・ネットワーキング・サービスで行われた交流の内容を示す交流データを、前記サーバーから取得する交流データ取得部と、
前記交流データ取得部により取得された前記交流データを用いて印刷用データを作成するためのレイアウト情報及び画像を含んでなる定型フォームを記憶する定型フォーム記憶部と、
前記定型フォーム記憶部に記憶されている前記定型フォームの前記レイアウト情報に従って、前記交流データを前記画像上に配置することで印刷用データを作成する印刷用データ作成部と、
前記印刷用データ作成部により作成された前記印刷用データを前記画像形成装置に送信する送信部として、情報処理装置を機能させるものである。
【発明の効果】
【０００９】
本発明によれば、ソーシャル・ネットワーキング・サービスで行われている交流の内容を、携帯通信端末を操作して簡単に画像形成装置で印刷できるようにすることを目的とする。
【図面の簡単な説明】
【００１０】
【図１】本発明の一実施形態に係る携帯通信端末を備える印刷システムを示す図である。
【図２】携帯通信端末の概略構成を示すブロック図である。
【図３】定型フォームの位置例を示す図である。
【図４】画像形成装置の内部構成の概略を示すブロック図である。
【図５】サーバーの内部構成の概略を示すブロック図である。
【図６】ソーシャル・ネットワーキング・サービスで行われている交流の内容を印刷システムにより印刷する処理を示すフローチャートである。
【図７】携帯通信端末の表示部による表示画面の一例を示す図である。
【図８】携帯通信端末の表示部による表示画面の一例を示す図である。
【図９】携帯通信端末の表示部による表示画面の一例を示す図である。
【図１０】携帯通信端末の表示部による表示画面の一例を示す図である。
【図１１】印刷用データ作成部により作成した完成画像の一例を示す図である。
【図１２】ＳＭＳで行われている交流の内容を印刷する場合の印刷処理を示すフローチャートである。
【発明を実施するための形態】
【００１１】
以下、本発明の一実施形態に係る印刷システム、携帯通信端末、及び印刷プログラムについて図面を参照して説明する。図１は、本発明の一実施形態に係る携帯通信端末を備える印刷システムを示す図である。
【００１２】
本発明の一実施形態に係る印刷システム１０は、画像形成装置１と、携帯通信端末３と、サーバー５とを備える。
【００１３】
携帯通信端末３は、タブレット端末又はスマートフォン等である。携帯通信端末３は、インターネット通信機能を有し、インターネットを介した通信によりサーバー５との間でデータの送受信が可能な構成を有する。また、携帯通信端末３は、インターネット又はＬＡＮ等を介した通信により、画像形成装置１との間でデータの送受信が可能な構成を有する。
【００１４】
携帯通信端末３は、インストールされている印刷プログラムにより、ソーシャル・ネットワーキング・サービスで行われている会話や画像を含む交流の内容を印刷する印刷指示を操作者から受け付ける。携帯通信端末３は、当該印刷指示を受け付けると、サーバー５にアクセスしてソーシャル・ネットワーキング・サービスが提供する交流の内容を示す交流データのうち、印刷に必要なデータを取得する。携帯通信端末３は、更に、当該取得した交流データと後述する定型フォームを用いて、画像形成装置１で印刷可能な印刷用データを作成し、当該印刷用データを画像形成装置１に向けて送信する。
【００１５】
画像形成装置１は、例えば、プリンター，コピー，ファクス等の複数機能を備えたいわゆる複合機である。画像形成装置１は、インターネット又はＬＡＮ等による通信機能を備え、当該通信機能により、携帯通信端末３との間でデータ送受信を行う。画像形成装置１では、携帯通信端末３から送信されてくる上記印刷用データの印刷が行われる。
【００１６】
サーバー５は、インターネットを介した通信により、携帯通信端末３との間で通信が可能である。サーバー５は、ソーシャル・ネットワーキング・サービスを提供する。サーバー５は、インターネットを介して、複数の携帯通信端末３に、ソーシャル・ネットワーキング・サービスにより提供する会話や画像を含む交流の内容を示す交流データを送信する。サーバー５は、異なるソーシャル・ネットワーキング・サービス毎に複数設けられている。本実施形態では、サーバー５が３種類のソーシャル・ネットワーキング・サービス毎に設けられている例を示す。携帯通信端末３は、当該サーバー５のうち、上記交流データを取得したいソーシャル・ネットワーキング・サービスを提供しているサーバー５にアクセスする。
【００１７】
次に、携帯通信端末３の構成を説明する。図２は携帯通信端末３の概略構成を示すブロック図である。
【００１８】
携帯通信端末３は、制御ユニット３００と、ＲＯＭ３１２と、ＲＡＭ３１３と、メモリー３１４と、表示部３１５と、通話機能部３１７と、通信インターフェイス３１８と、入力部３１９とを備える。これら各部は、互いに信号線（ＣＰＵバス等）によりデータ又は信号の送受信が可能とされている。
【００１９】
制御ユニット３００は、ＣＰＵ等からなる。ＲＯＭ３１２は、携帯通信端末３の基本動作についての動作プログラムを記憶する。ＲＡＭ３１３は、制御ユニット３００の動作領域等として使用される。
【００２０】
メモリー３１４は、各種データやプログラムを記憶するための記憶媒体である。メモリー３１４には、サーバー５とアクセスしてソーシャル・ネットワーキング・サービスを提供するためのＳＮＳアプリケーションと、本発明の一実施形態に係る印刷プログラムとがインストールされている。
【００２１】
上記印刷プログラムは、ソーシャル・ネットワーキング・サービスを提供する上記サーバー５から上記交流データを取得し、当該取得した交流データから作成した印刷用データを画像形成装置１に送信するための一連の処理を制御ユニット３００に行わせる。
【００２２】
制御ユニット３００は、上記印刷プログラムに従って動作することで、制御部３０１（上記一連の処理に関する機能についてのみ）、交流データ取得部３０２、定型フォーム記憶部３０３、印刷用データ作成部３０４、及び送信部３０５として機能する。但し、制御部３０１、交流データ取得部３０２、定型フォーム記憶部３０３、印刷用データ作成部３０４、及び送信部３０５は、上記印刷プログラムに従った動作によらずに、それぞれハード回路により構成することも可能である。
【００２３】
制御部３０１は、携帯通信端末３が備える各部の動作制御を司る。
【００２４】
交流データ取得部３０２は、操作者により指定された範囲の上記交流データをサーバー５から印刷用として取得する。交流データ取得部３０２による当該交流データの印刷用の取得処理は、ＳＮＳアプリケーションの実行により行われるサーバー５との通常の通信とは別に行われる。
【００２５】
交流データ取得部３０２は、範囲指定受付部３０２１と、送信要求部３０２２と、交流データ受信部３０２３とを備えている。
【００２６】
範囲指定受付部３０２１は、入力部３１９を介して、サーバー５から取得する上記交流データの客体又は時期の少なくとも一方の範囲を指定する範囲指定情報を受け付ける。
【００２７】
送信要求部３０２２は、範囲指定受付部３０２１により受け付けられた上記範囲指定情報と、上記交流データの送信を要求する送信要求とを、サーバー５に送信する。
【００２８】
交流データ受信部３０２３は、送信要求部３０２２から送信した範囲指定情報及び送信要求に対応してサーバー５から送信されてくる交流データを受信する。
【００２９】
定型フォーム記憶部３０３は、交流データ取得部３０２により取得された交流データと合成して印刷用データを作成するための定型フォームを記憶している。定型フォーム記憶部３０３は、当該定型フォームを複数記憶している。
【００３０】
定型フォームは、画像及びレイアウト情報を含んで構成されている。例えば、図３に示すように、定型フォームＦは、交流を示す会話等を表現する背景画像Ｆ１や、メッセージ合成用画像Ｆ２等で構成されている。レイアウト情報は、複数のメッセージ合成用画像Ｆ２についての背景画像Ｆ１における配置位置を示す情報である。例えば、複数のメッセージ合成用画像Ｆ２を配置するそれぞれの基本位置は、図３に示すＰＬ１〜ＰＬ７のように予め定められている。
【００３１】
印刷用データ作成部３０４は、交流データを構成する各メッセージをメッセージ合成用画像Ｆ２に合成し、当該各メッセージに付随して交流データの一部としてサーバー５から送信されてくる客体情報及び時期情報に従って、当該合成後の各メッセージ合成用画像Ｆ２を、背景画像Ｆ１上における例えば上記ＰＬ１〜ＰＬ７に、客体別及び時刻順に配置して印刷用データを作成する。すなわち、印刷用データ作成部３０４は、上記客体情報及び時期情報に従って、上記交流データを構成する各メッセージを背景画像Ｆ１上の適所に配置した印刷用データを作成する。
【００３２】
送信部３０５は、印刷用データ作成部３０４により作成された印刷用データを画像形成装置１に送信する。
【００３３】
次に、画像形成装置１の構成を説明する。図４は、画像形成装置１の内部構成の概略を示すブロック図である。
【００３４】
画像形成装置１は、装置各部の機能を制御する制御ユニット１００と、上記の画像読取部１１０と、画像読取部１１０によって読み取られた原稿画像のデータ等を一時的に記憶する画像メモリー１２０と、画像形成部１３０と、操作部２０と、ＬＣＤ（Liquid Crystal Display）等からなる表示部１５０とを備える。操作部２０は、操作者からの各種動作実行指示の入力を受け付ける。
【００３５】
また、画像形成装置１は、ネットワークインターフェイス１６０と、ファクシミリ通信部１４０と、ＨＤＤ１７０と、画像処理部１９０とを備える。
【００３６】
ファクシミリ通信部１４０は、ファクシミリ通信に必要な各種機能を実行する。
【００３７】
ＨＤＤ１７０は、画像形成装置１が携帯通信端末３と通信を行うための動作を管理する通信制御プログラムや、画像読取部１１０による読取で得られた画像データ等を記憶する。
【００３８】
ネットワークインターフェイス１６０は、ＬＡＮ等により、外部の機器、例えば、携帯通信端末３と通信を行う。
【００３９】
画像処理部１９０は、画像読取部１１０が読み取った画像のデータについて、編集／加工（符号／復号処理、拡大／縮小処理、圧縮／伸長処理）処理等を行う。
【００４０】
制御ユニット１００は、ＣＰＵと、画像形成装置１の全体的な動作を制御する動作制御プログラムを記憶したＲＯＭ、各種データを格納して作業領域として機能するＲＡＭ等を備え、ＲＯＭに記憶された動作プログラムが当該ＣＰＵにより実行されることにより、装置各部の動作を司る。
【００４１】
制御ユニット１００は、制御部１０１と、データ送受信部１０２とを備える。
【００４２】
例えば、制御ユニット１００は、ＨＤＤ１７０に記憶されている通信制御プログラムに従って動作することで、制御部（携帯通信端末３との通信に関する機能のみ）１０１及びデータ送受信部１０２として機能する。
【００４３】
制御部１０１は、画像形成装置１に備えられる各機構を制御し、画像形成装置１の全体的な動作制御を司る。
【００４４】
データ送受信部１０２は、ネットワークインターフェイス１６０及び後述する変換部１０５を介して、携帯通信端末３から送信されてくる印刷用データを受信する。
【００４５】
また、クラウド上のコンピューターに、画像形成装置側機構の一部としての変換部１０５が設けられている。例えば、画像形成装置１の製造業者が、変換部１０５としてのＡＰＩを作成し、当該ＡＰＩを、第三者によるアクセスが可能なクラウド上の上記コンピューターに配設する。変換部１０５は、携帯通信端末３から受信した上記印刷用データを、当該画像形成装置１で印刷可能なデータ形式、例えば、予め定められたプリンター言語（例えばＰＤＬ等）に変換する。変換部１０５は、変換後の印刷用データを、インターネットを介して、画像形成装置１に送信する。画像形成装置１では、上記データ送受信部１０２が当該変換後の印刷用データを受信し、制御部１０１が、当該印刷用データを用いて、画像形成部１３０に画像形成させる。従って、本実施形態では、画像形成装置側機構は、クラウド上のコンピューターに配設された変換部１０５と、画像形成装置１とを備えている。
【００４６】
次に、サーバー５について説明する。図５は、サーバー５の内部構成の概略を示すブロック図である。
【００４７】
サーバー５は、制御ユニット５００と、ＲＯＭ５１２と、ＲＡＭ５１３と、ＨＤＤ５１４と、通信インターフェイス５１８とを備える。これら各部は、互いに信号線（ＣＰＵバス等）によりデータ又は信号の送受信が可能とされている。
【００４８】
制御ユニット５００は、ＣＰＵ等からなる。ＲＯＭ５１２は、サーバー５の基本動作についての動作プログラムを記憶する。ＲＡＭ５１３は、制御ユニット５００の動作領域等として使用される。
【００４９】
ＨＤＤ５１４は、各種データやプログラムを記憶するための記憶媒体である。ＨＤＤ５１４には、上記プログラムの一種として、ソーシャル・ネットワーキング・サービスを提供するためのＳＮＳプログラムが記憶されている。
【００５０】
制御ユニット５００は、制御部５０１と、ＳＮＳ動作部５０２と、通信部５０３とを有する。制御ユニット５００は、上記ＳＮＳプログラムに従って動作することでＳＮＳ動作部５０２として機能する。
【００５１】
制御部５０１は、当該サーバー５の全体的な動作制御を司る。
【００５２】
ＳＮＳ動作部５０２は、ソーシャル・ネットワーキング・サービスを、インターネット通信により、複数の携帯通信端末３に提供する処理を実行する。
【００５３】
通信部５０３は、通信インターフェイス５１８及び後述する交流データ送信部５０５を介して、携帯通信端末３との間で通信を行う。
【００５４】
また、サーバー側機構としての交流データ送信部５０５が、クラウド上の別のサーバーに設けられている。交流データ送信部５０５は、インターネットを介して、携帯通信端末３から送信されてくる、交流データの送信要求を受信する。交流データ送信部５０５は、インターネットを介して、サーバー５にアクセスして、当該送信要求に対応する上記交流データを、交流データ記憶部としてのＲＡＭ５１３から取得し、当該取得した交流データを携帯通信端末３に送信する。従って、本実施形態では、サーバー側の機構は、クラウド上の別のサーバーに配設された交流データ送信部５０５と、サーバー５とを備えている。各サーバー５は、提供するソーシャル・ネットワーキング・サービスに適応するＡＰＩ（変換部１０５）を、クラウド上のそれぞれのサーバー（サーバー５とは別個）に配設する。
【００５５】
次に、印刷システム１０による交流データの印刷処理を説明する。図６は、ソーシャル・ネットワーキング・サービスで行われている交流の内容を印刷システム１０により印刷する処理を示すフローチャートである。
【００５６】
携帯通信端末３では、メモリー３１４に、上記印刷プログラム及び当該携帯通信端末３用のオペレーティングシステムに加えて、各種のソーシャル・ネットワーキング・サービスに対応しているそれぞれのＳＮＳアプリケーションが記憶されている。携帯通信端末３では、制御ユニット３００が当該各ＳＮＳアプリケーションに従ったそれぞれの動作を行うことで、各ソーシャル・ネットワーキング・サービスを提供するそれぞれのサーバー５から、ソーシャル・ネットワーキング・サービスの提供を受ける。このソーシャル・ネットワーキング・サービスにより提供される交流の内容は、制御部３０１による制御の下、表示部３１５に表示される。
【００５７】
このように携帯通信端末３において実行される各ソーシャル・ネットワーキング・サービスで行われている交流（会話や画像交換等）の内容を印刷する場合、操作者は、まず、入力部３１９の操作により上記印刷プログラムの起動指示を入力して、印刷プログラムを起動させる（Ｓ１）。すなわち、制御ユニット３００が当該印刷プログラムに従って動作を開始する。このとき、制御部３０１は、図７に例を示すような表示画面Ｄ１を表示部３１５に表示させる。
【００５８】
この表示画面Ｄ１には、当該印刷プログラムにより画像形成装置１に印刷をさせることが可能な各種の項目が表示される。例えば、表示画面Ｄ１は、印刷可能な項目として、写真を示す画像ｄ１、文書を示す画像ｄ２、Ｗｅｂサイトを示す画像ｄ３、スキャンにより得たスキャンデータを示す画像ｄ４、及びソーシャル・ネットワーキング・サービスで行われている交流を示す画像ｄ５といった画像を有する。
【００５９】
この表示画面Ｄ１の表示中に、操作者が、上記画像ｄ１〜ｄ５のうち、内容を印刷したい所望の項目を示す画像、例えば、ソーシャル・ネットワーキング・サービス「ＳＮＳ」を示す画像ｄ５にタッチ操作を行うと、表示部３１５に備えられているタッチパネル機能が入力部３１９として機能し、入力部３１９は、印刷対象とする項目を、画像ｄ５が示すソーシャル・ネットワーキング・サービスとして受け付ける。
【００６０】
入力部３１９に、上記ソーシャル・ネットワーキング・サービスを印刷対象の項目とする指定が入力されると、制御部３０１は、表示部３１５に、携帯通信端末３で実行が可能となっている各ソーシャル・ネットワーキング・サービスを示す画像ｄ２１〜ｄ２５を有する表示画面Ｄ２（図８）を表示させる。
【００６１】
この表示画面Ｄ２の表示中に、操作者が、上記画像ｄ２１〜ｄ２５のうち、内容を印刷したい所望のソーシャル・ネットワーキング・サービスを示す画像、例えば、「Conversation」を示す画像ｄ２３にタッチ操作を行うと、タッチパネル機能により入力部３１９は、印刷対象とするソーシャル・ネットワーキング・サービスを、画像ｄ２３が示す「Conversation」として受け付ける（Ｓ２）。
【００６２】
Ｓ２において入力部３１９に、上記「Conversation」を印刷対象とする指定が受け付けられると、制御ユニット３００により当該「Conversation」のＳＮＳアプリケーションが起動され（Ｓ３）、制御部３０１は、表示部３１５に、当該「Conversation」に登録されている各交流相手を示す画像ｄ３１〜ｄ３５を有する表示画面Ｄ３（図９）を表示させる。
【００６３】
この表示画面Ｄ３の表示中に、操作者が、上記画像ｄ３１〜ｄ３５のうち、内容を印刷したい所望の相手を示す画像、例えば、「Patlicia Mager」を示す画像ｄ３２にタッチ操作を行うと、入力部３１９は、印刷対象とする交流の相手を、画像ｄ３２が示す「Patlicia Mager」として受け付ける（Ｓ４）。
【００６４】
入力部３１９に、上記「Patlicia Mager」を、印刷対象とする交流の相手とする指定が入力されると、ソーシャル・ネットワーキング・サービス「Conversation」の機能により、制御ユニット３００は、当該携帯通信端末３の所有者である操作者と、指定された相手「Patlicia Mager」との交流の内容であって、メモリー３１４に既に蓄積している分の交流内容を表示部３１５に表示させる（Ｓ５）。例えば、制御部３０１は、表示部３１５に、図１０に例示する表示画面Ｄ４を表示させる。この表示画面Ｄ４には、上記操作者と相手方「Patlicia Mager」との会話をなす各メッセージが、メモリー３１４に既に蓄積している分の交流内容を用いて、当該当事者別に区分して、会話が行われた時間順に表示される。また、表示画面Ｄ４には、当該交流の内容において印刷の対象とする範囲を指定する範囲指定を受け付けるための範囲指定画像ｉｍ１，ｉｍ２が表示される。
【００６５】
範囲指定画像ｉｍ１は、ソーシャル・ネットワーキング・サービス「Conversation」により携帯通信端末３において相手方「Patlicia Mager」との間で行われた全ての交流を、印刷対象として操作者から受け付けるための画像である。範囲指定画像ｉｍ２は、印刷対象とする交流の内容を時期的に絞り込んで限定する指定を操作者から受け付けるための画像である。範囲指定画像ｉｍ２は、印刷対象とする交流としての会話の開始時期の指定を受け付けるための開始時期指定画像ｉｍ２１と、印刷対象とする会話の終了時期の指定を受け付けるための終了時期指定画像ｉｍ２２とを有している。
【００６６】
この表示画面Ｄ４の表示中に、操作者が、範囲指定画像ｉｍ１にタッチ操作すると、入力部３１９により、印刷対象とする会話を全範囲に指定する範囲指定情報が受け付けられる。また、操作者が、開始時期指定画像ｉｍ２１をタッチ操作して入力部３１９に開始時期を入力し、終了時期指定画像ｉｍ２２をタッチ操作して、入力部３１９に終了時期を入力すると、範囲指定受付部３０２１により、印刷対象とする交流内容の時期的範囲を示す範囲指定情報が受け付けられる（Ｓ６）。
【００６７】
範囲指定受付部３０２１に、印刷対象とする交流内容の上記時期的範囲が受け付けられると、送信要求部３０２２は、当該送信要求部３０２２に記憶されているリンク情報、すなわち、上記ソーシャル・ネットワーキング・サービス「Conversation」がＡＰＩとして提供しているクラウド上の上記交流データ送信部５０５にアクセスするためのリンク情報を用いて、当該交流データ送信部５０５にアクセスする。送信要求部３０２２は、当該交流データ送信部５０５に対して、上記範囲指定情報と、交流データの送信要求とを送信する（Ｓ７）。すなわち、送信要求部３０２２は、Ｓ６で受け付けられた範囲指定情報が示す範囲分の交流データの送信を、交流データ送信部５０５に対して要求する。
【００６８】
サーバー５側の機構では、クラウド上に配設された当該交流データ送信部５０５が、上記範囲指定情報及び送信要求を携帯通信端末３から受信すると（Ｓ２１）、交流データ送信部５０５は、サーバー５にアクセスして、携帯通信端末３からの上記範囲指定情報が示す範囲分の交流データを、サーバー５のＨＤＤ（交流データ記憶部の一例）５１４から読み出す（Ｓ２２）。交流データ送信部５０５は、当該読み出した交流データを、携帯通信端末３に向けて送信する（Ｓ２３）。例えば、サーバー５においては、ＨＤＤ５１４に、当該携帯通信端末３の操作者についてのソーシャル・ネットワーキング・サービス「Conversation」による全ての交流内容が記憶されている。交流データ送信部５０５は、上記範囲指定情報により、客体が「Patlicia Mager」及び上記携帯通信端末３の操作者（所有者）であり、時期が2015年11月1日〜2016年1月14日と示されているときは、当該客体及び時期分の交流データをＨＤＤ５１４から読み出して、携帯通信端末３に送信する。
【００６９】
例えば、サーバー５を用いて顧客にソーシャル・ネットワーキング・サービス「Conversation」を提供する事業者が、上記交流データ送信部５０５としてのＡＰＩを作成し、第三者がアクセス可能なクラウド上のコンピューターに配設する。そして、当該交流データ送信部５０５としてのＡＰＩが、携帯通信端末３からのアクセスに基づいて、当該携帯通信端末３からの上記範囲指定情報及び送信要求に従って、当該範囲指定情報が示す範囲分の交流データをサーバー５から取得して当該携帯通信端末３に送信する処理を行う。
【００７０】
携帯通信端末３においては、その交流データ受信部３０２３が、上記範囲分の交流データをサーバー５側から受信する（Ｓ８）。
【００７１】
この受信後、印刷用データ作成部３０４が、定型フォーム記憶部３０３から定型フォームを読み出す。本実施形態では、定型フォーム記憶部３０３は、１種類の定型フォームのみ記憶し、交流データを送信してきたサーバー５で提供されているソーシャル・ネットワーキング・サービスの種別に拘わらず、印刷用データ作成部３０４が、印刷用データの作成に、同一の定型フォームを用いるものとする。
【００７２】
但し、定型フォーム記憶部３０３は、ソーシャル・ネットワーキング・サービス毎に異なる定型フォームを記憶するものとしてもよい。この場合、印刷用データ作成部３０４は、当該交流データを送信してきたサーバー５で提供されているソーシャル・ネットワーキング・サービスの種別（この例では、ソーシャル・ネットワーキング・サービス「Conversation」）に対応付けられた定型フォームを読み出す。例えば、このソーシャル・ネットワーキング・サービスの種別毎の定型フォームは、各ソーシャル・ネットワーキング・サービスを提供する事業者がそれぞれに提供する上記ＡＰＩにより、携帯通信端末３に提供される。
【００７３】
印刷用データ作成部３０４は、読み出したソーシャル・ネットワーキング・サービス「Conversation」用の定型フォームと、上記受信した交流データを用いて、印刷用データを作成する（Ｓ９）。
【００７４】
例えば、印刷用データ作成部３０４は、受信した交流データに含まれる各メッセージを、それぞれメッセージ合成用画像Ｆ２に合成する。そして、印刷用データ作成部３０４は、図１１に完成画像Ｆ５０として示すように、各メッセージに付随するそれぞれの客体情報及び時期情報に従って、上記合成後のそれぞれのメッセージ合成用画像Ｆ２を、背景画像Ｆ１における予め定められた基本位置（例えば、上述したＰＬ１〜ＰＬ７）に、客体別及び時刻順に配置することで、印刷用データを作成する。
【００７５】
この作成時、印刷用データ作成部３０４は、まず、上記受信した交流データに含まれるメッセージの数だけメッセージ合成用画像Ｆ２を用意し、用意した各メッセージ合成用画像Ｆ２の中に１つのメッセージを配置する。すなわち、印刷用データ作成部３０４は、キャラクターデータからなる各メッセージにそれぞれメッセージ合成用画像Ｆ２を用いて両者を合成した画像を作成する。そして、印刷用データ作成部３０４は、当該合成後の会話画像Ｆ１１を、客体情報に基づいて客体別（上記例でいえば「Patlicia Mager」又は操作者ごと）に、各メッセージに付されている時期情報に基づいて時刻の早い順に並べ、このように並べた各会話画像Ｆ１１を背景画像Ｆ１に合成する。また、当該交流として画像もやりとりされている場合は、各会話画像Ｆ１１に加えて、当該画像も、時期情報に基づいて時刻の早い順に並べて、会話画像Ｆ１１を背景画像Ｆ１に合成する。これにより、交流の内容を示す完成画像Ｆ５０（図１１）を印刷用データとして作成する。なお、印刷用データ作成部３０４は、当該交流の当事者（相手方及び操作者）と、ソーシャル・ネットワーキング・サービスの名称、印刷対象とされた時期とを示す画像Ｆ１５も背景画像Ｆ１に合成して、完成画像Ｆ５０を作成する。なお、印刷用データ作成部３０４は、JPEG又はPNG等のデータ形式で当該完成画像Ｆ５０を作成する。
【００７６】
続いて、送信部３０５は、印刷用データ作成部３０４によって作成された上記印刷用データ（完成画像Ｆ５０）を画像形成装置１に向けて送信する（Ｓ１０）。例えば、送信部３０５は、予め記憶しているリンク情報を用いて、画像形成装置１がクラウド上に提供する上記変換部１０５としてのＡＰＩにアクセスする。
【００７７】
当該変換部１０５が、携帯通信端末３からのアクセスに基づいて、当該携帯通信端末３から上記印刷用データを受信すると（Ｓ３１）、この印刷用データを、画像形成装置１により印刷画像形成装置可能な予め定められたプリンター言語（例えば、ＰＤＬ）に変換する（Ｓ３２）。変換部１０５は、当該変換後の印刷用データを、インターネットを介して、画像形成装置１に送信する（Ｓ３２）。
【００７８】
画像形成装置１のデータ送受信部１０２が、ネットワークインターフェイス１６０を介して、上記データ形式に変換された印刷用データを受信すると、制御部１０１は、当該印刷用データを画像形成部１３０に画像形成させる（Ｓ３３）。
【００７９】
このように、本実施形態によれば、ソーシャル・ネットワーキング・サービスが提供する交流の内容を示す表示部３１５の表示画面と類似した形態で各メッセージが並べられた完成画像Ｆ５０（図１１）を、携帯通信端末３の操作により、画像形成装置１で印刷することが可能になる。このため、表示部３１５に表示される表示画面のスクリーンショットを作成する操作を行わなくても、上記ソーシャル・ネットワーキング・サービスによる交流の内容を印刷できる。また、本実施形態によれば、操作者が、上記交流のうち印刷対象とする範囲を指定して、指定範囲分の交流を印刷可能なので、操作者は、表示部３１５に交流内容を表示させなくても、所望の範囲分だけの交流内容を印刷できる。
【００８０】
例えば、携帯通信端末３の表示部３１５における表示画面のスクリーンショットから印刷する場合では、表示部３１５に表示されてない交流内容や、客体や時期の範囲を指定した内容を印刷することは不可能であったが、本実施形態によれば、上記交流データ及び定型フォームを用いた印刷用データの作成を行うため、表示部３１５に表示されてない交流内容や、客体や時期の範囲を指定した内容も印刷することが可能になる。
【００８１】
また、印刷用データ作成部３０４が、ソーシャル・ネットワーキング・サービスの種別を問わずに、１つの定型フォームのみを用いて印刷用データを作成するので、いずれのソーシャル・ネットワーキング・サービスの交流内容を印刷する場合であっても、携帯通信端末３においては、キャラクターデータや画像からなる交流データを用いて、同様の印刷用データ作成処理（交流データと定型フォームとを用いた上記合成処理）を行うことで、交流内容を示す画像を画像形成装置１に印刷させることが可能になる。このため、ソーシャル・ネットワーキング・サービスの種別ごとに異なる処理を行わなくても、交流内容を印刷することができる。
【００８２】
上記の実施形態では、携帯通信端末３は、ソーシャル・ネットワーキング・サービスを提供するサーバー５から、汎用的なデータ形式からなるキャラクターデータ及び画像を有する交流データを取得し、この交流データと定型フォームとを用いて携帯通信端末３内で印刷用データを作成するため、ソーシャル・ネットワーキング・サービスごとにそれぞれ特有のデータを取り扱うといった処理や、ソーシャル・ネットワーキング・サービス別に異なる処理を行わなくても、画像形成装置１での印刷が可能なデータ形式からなる印刷用データを作成することができる。すなわち、本実施形態では、いずれのソーシャル・ネットワーキング・サービスについても、対応するサーバー５から上記交流データを取得して、これと定型フォームを用いて印刷用データを作成するという処理を行えば、交流の内容を示す画像を画像形成装置１で印刷することが可能である。
【００８３】
次に、ＳＭＳで行われている交流の内容を印刷する場合の印刷処理を説明する。図１２は、ＳＭＳで行われている交流の内容を印刷する場合の印刷処理を示すフローチャートである。なお、図６に示した実施形態と同様の処理は説明を省略する。
【００８４】
上記図６に示した実施形態では、携帯通信端末３がソーシャル・ネットワーキング・サービスの交流内容を印刷するための印刷処理が開始される時に、当該ソーシャル・ネットワーキング・サービスを提供するサーバー５から上記交流データを取得して、当該交流データと定型フォームとを用いて印刷用データを作成しているが、ソーシャル・ネットワーキング・サービスの一種としてのＳＭＳ（ショート・メッセージ・サービス）で行われる交流の内容を印刷する場合は、以下のような処理を行えば足りる。
【００８５】
携帯通信端末３においては、ＳＭＳを提供するＳＭＳサーバー（上述した２つのサーバーとは異なる）との間でショートメッセージを送受信する処理を行うためのＳＭＳアプリケーションが、メモリー３１４に記憶されている。制御ユニット３００が、当該ＳＭＳアプリケーションに従って動作することで、上記ＳＭＳサーバーとの間でショートメッセージの送受信に必要な各種の処理を実行する。ＳＭＳサーバーとの間で送受信した全てのショートメッセージは、制御ユニット３００がメモリー３１４に記憶させている。
【００８６】
このように携帯通信端末３において実行されるＳＭＳによる交流としての会話の内容を印刷する場合、操作者は、まず、入力部３１９の操作により、上述した印刷プログラムの起動指示を入力して、印刷プログラムを起動させる（Ｓ５１）。そして、制御部３０１により表示部３１５に表示画面Ｄ２が表示されているときに、操作者が、内容を印刷したい所望のソーシャル・ネットワーキング・サービスとしてＳＭＳを示す画像ｄ２１（図８）にタッチ操作を行うと、入力部３１９は、印刷対象とするソーシャル・ネットワーキング・サービスを、画像ｄ２１が示す「ＳＭＳ」として受け付ける（Ｓ５２）。
【００８７】
Ｓ５２において入力部３１９に、上記「ＳＭＳ」を印刷対象とする指定が受け付けられると、制御ユニット３００によりＳＭＳアプリケーションが起動され（Ｓ５３）、制御部３０１は、表示部３１５に、当該「ＳＭＳ」に登録されている各交流相手を示すそれぞれの画像を有する表示画面を表示させる。
【００８８】
この表示画面の表示中に、操作者が、内容を印刷したい所望の相手を示す画像にタッチ操作を行うと、入力部３１９は、印刷対象とする交流の相手として、当該タッチ操作がされた画像が示す相手方を受け付ける（Ｓ５４）。
【００８９】
入力部３１９に、印刷対象とする交流の相手とする指定が受け付けられると、ＳＭＳの機能により、制御部３０１は、当該携帯通信端末３の所有者である操作者と、上記ＳＭＳ５４で受け付けられた相手との交流の内容をメモリー３１４から読み出して表示部３１５に表示させる（Ｓ５５）。この表示時に、操作者による入力部３１９の操作に基づいて、交流データ取得部３０２が、印刷対象とする会話を全範囲に指定するか、又は、印刷対象とする交流内容を時期的に限定した範囲とするかを示す範囲指定情報を受け付けると（Ｓ５６）、交流データ取得部３０２は、メモリー３１４から、上記範囲指定情報が示す範囲分の交流データを抽出する（Ｓ５７）。
【００９０】
この抽出後、印刷用データ作成部３０４が、定型フォーム記憶部３０３から定型フォームを読み出す。印刷用データ作成部３０４は、読み出した定型フォームと、上記抽出した交流データを用いて、印刷用データを作成する（Ｓ５８）。印刷用データ作成部３０４による当該印刷用データの作成は、図６に示したＳ９と同様にして行われる。  
【００９１】
続いて、送信部３０５は、印刷用データ作成部３０４によって作成された上記印刷用データを、上記変換部１０５に送信する（Ｓ５９）。この後、画像形成装置側の機構では、図６に示したＳ３１〜Ｓ３３の処理と同様にして、図１２に示すＳ６１〜Ｓ６３の処理が行われる。
【００９２】
また、ＳＭＳではない他のソーシャル・ネットワーキング・サービスであっても、交流の内容を全て携帯通信端末３のメモリー３１４に蓄積している場合には、図１２に示した上記ＳＭＳの場合の処理と同様の処理を行うことで、印刷用データの作成が可能である。
【００９３】
なお、本発明は上記実施の形態の構成に限られず種々の変形が可能である。例えば、上記実施形態では、本発明に係る画像形成装置の一実施形態として複合機を用いて説明しているが、これは一例に過ぎず、例えば、プリンター、コピー機、ファクシミリ装置等の他の画像形成装置でもよい。
【００９４】
また、上記実施形態では、図１乃至図１２を用いて上記実施形態により示した構成及び処理は、本発明の一実施形態に過ぎず、本発明を当該構成及び処理に限定する趣旨ではない。
【符号の説明】
【００９５】
１０      印刷システム
１        画像形成装置
３        携帯通信端末
３００    制御ユニット
３０１    制御部
３０２    データ取得部
３０２    交流データ取得部
３０２１  範囲指定受付部
３０２２  送信要求部
３０２３  交流データ受信部
３０３    定型フォーム記憶部
３０４    印刷用データ作成部
３０５    送信部
３１４    メモリー
３１５    表示部
３１９    入力部
５        サーバー
５００    制御ユニット
５０１    制御部
５０２    動作部
５０３    通信部
５０５    交流データ送信部
１００    制御ユニット
１０１    制御部
１０２    データ送受信部
１０５    変換部
【図１】
2017187561.tif 000003
【図２】
2017187561.tif 000004
【図３】
2017187561.tif 000005
【図４】
2017187561.tif 000006
【図５】
2017187561.tif 000007
【図６】
2017187561.tif 000008
【図７】
2017187561.tif 000009
【図８】
2017187561.tif 000010
【図９】
2017187561.tif 000011
【図１０】
2017187561.tif 000012
【図１１】
2017187561.tif 000013
【図１２】
2017187561.tif 000014
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
サーバー側機構と、携帯通信端末と、画像形成装置側機構とを備えた印刷システムであって、
前記携帯通信端末は、
前記サーバー側機構により提供されるソーシャル・ネットワーキング・サービスで行われた交流の内容を示す交流データを、前記サーバーから取得する交流データ取得部と、
前記交流データ取得部により取得された前記交流データを用いて印刷用データを作成するためのレイアウト情報及び画像を含んでなる定型フォームを記憶する定型フォーム記憶部と、
前記定型フォーム記憶部に記憶されている前記定型フォームの前記レイアウト情報に従って、前記交流データを前記画像上に配置することで印刷用データを作成する印刷用データ作成部と、
前記印刷用データ作成部により作成された前記印刷用データを前記画像形成装置に送信する送信部とを備え、
前記サーバー側機構は、
前記ソーシャル・ネットワーキング・サービスで行われた各交流の内容を示すそれぞれの前記交流データを記憶する交流データ記憶部と、
前記携帯通信端末からの要求に対応する前記交流データを前記交流データ記憶部から読み出し、当該読み出した前記交流データを前記携帯通信端末に送信する交流データ送信部とを備え、
前記画像形成装置側機構は、
前記携帯通信端末から受信した前記印刷用データを、前記画像形成装置側機構の一部をなす画像形成装置により印刷可能なデータ形式に変換する変換部と、前記変換部により前記変換が行われた前記印刷用データを用いて画像形成を行う画像形成部と、を備え、
前記携帯通信端末の前記交流データ取得部は、
前記サーバー側機構から取得する前記交流データの客体又は時期の少なくとも一方の範囲を指定する範囲指定情報を受け付ける範囲指定受付部と、
前記範囲指定受付部により受け付けられた前記範囲指定情報と、前記交流データの送信を要求する送信要求とを、前記サーバー側機構に送信する送信要求部と、前記送信要求部から送信した前記範囲指定情報及び前記送信要求に対応して前記サーバー側機構から送信されてくる前記交流データを受信する交流データ受信部とを備え、
前記サーバー側機構の前記交流データ送信部は、前記携帯通信端末から前記範囲指定情報及び前記送信要求を受信したとき、前記範囲指定情報により指定される範囲の交流データを前記交流データ記憶部から取得し、当該取得した前記交流データを、前記携帯通信端末に送信し、
前記携帯通信端末において、
前記定型フォーム記憶部は、ソーシャル・ネットワーキング・サービス毎に異なる前記定型フォームを記憶し、当該各定型フォームは、前記定型フォームに含まれる前記画像として、前記交流データを構成する各メッセージが合成されるそれぞれのメッセージ合成用画像を記憶し、
前記印刷用データ作成部は、前記交流データを送信してきた前記サーバー側機構で提供されているソーシャル・ネットワーキング・サービスの種別に対応付けられた定型フォームを前記定型フォーム記憶部から読み出し、当該読み出した定型フォームを用いて、前記各メッセージを前記メッセージ合成用画像に合成し、当該各メッセージに付随する客体情報及び時期情報に従って、前記各メッセージが合成された前記メッセージ合成用画像を客体別及び時刻順に並べて、前記印刷用データを作成する印刷システム。
【請求項２】
前記交流データは、少なくともキャラクターデータ又は画像を含んで構成される請求項１に記載の印刷システム。
【請求項３】
前記サーバー側機構は、前記交流データ送信部をクラウド上に備え、
前記携帯端末装置の前記交流データ取得部は、前記クラウド上の前記交流データ送信部を介して、前記サーバーから、前記交流データを取得する請求項１乃又は請求項２に記載の印刷システム。
【請求項４】
前記画像形成装置側機構は、前記変換部として機能するＡＰＩをクラウド上に備え、
前記携帯端末装置の前記送信部は、前記クラウド上の前記変換部に対して、前記印刷用データを送信する請求項１乃至請求項３のいずれかに記載の印刷システム。
【請求項５】
ソーシャル・ネットワーキング・サービスを提供するサーバーと、画像形成装置と通信する携帯通信端末であって、
前記ソーシャル・ネットワーキング・サービスで行われた交流の内容を示す交流データを、前記サーバーから取得する交流データ取得部と、
前記交流データ取得部により取得された前記交流データを用いて印刷用データを作成するためのレイアウト情報及び画像を含んでなる定型フォームを記憶する定型フォーム記憶部と、
前記定型フォーム記憶部に記憶されている前記定型フォームの前記レイアウト情報に従って、前記交流データを前記画像上に配置することで印刷用データを作成する印刷用データ作成部と、
前記印刷用データ作成部により作成された前記印刷用データを前記画像形成装置に送信する送信部とを備え、
前記交流データ取得部は、
前記サーバーから取得する前記交流データの客体又は時期の少なくとも一方の範囲を指定する範囲指定情報を受け付ける範囲指定受付部と、
前記範囲指定受付部により受け付けられた前記範囲指定情報と、前記交流データの送信を要求する送信要求とを、前記サーバーに送信する送信要求部と、前記送信要求部から送信した前記範囲指定情報及び前記送信要求に対応して前記サーバーから送信されてくる前記交流データを受信する交流データ受信部とを備え、
前記定型フォーム記憶部は、ソーシャル・ネットワーキング・サービス毎に異なる前記定型フォームを記憶し、当該各定型フォームは、前記定型フォームに含まれる前記画像として、前記交流データを構成する各メッセージが合成されるそれぞれのメッセージ合成用画像を記憶し、
前記印刷用データ作成部は、前記交流データを送信してきた前記サーバーで提供されているソーシャル・ネットワーキング・サービスの種別に対応付けられた定型フォームを前記定型フォーム記憶部から読み出し、当該読み出した定型フォームを用いて、前記各メッセージを前記メッセージ合成用画像に合成し、当該各メッセージに付随する客体情報及び時期情報に従って、前記各メッセージが合成された前記メッセージ合成用画像を客体別及び時刻順に並べて、前記印刷用データを作成する携帯通信端末。
【請求項６】
サーバーにより提供されるソーシャル・ネットワーキング・サービスで行われた交流の内容を示す交流データを、前記サーバーから取得する交流データ取得部と、
前記交流データ取得部により取得された前記交流データを用いて印刷用データを作成するためのレイアウト情報及び画像を含んでなる定型フォームを記憶する定型フォーム記憶部と、
前記定型フォーム記憶部に記憶されている前記定型フォームの前記レイアウト情報に従って、前記交流データを前記画像上に配置することで印刷用データを作成する印刷用データ作成部と、
前記印刷用データ作成部により作成された前記印刷用データを前記画像形成装置に送信する送信部として、情報処理装置を機能させ、
更に、前記交流データ取得部が、
前記サーバーから取得する前記交流データの客体又は時期の少なくとも一方の範囲を指定する範囲指定情報を受け付ける範囲指定受付部と、
前記範囲指定受付部により受け付けられた前記範囲指定情報と、前記交流データの送信を要求する送信要求とを、前記サーバーに送信する送信要求部と、前記送信要求部から送信した前記範囲指定情報及び前記送信要求に対応して前記サーバーから送信されてくる前記交流データを受信する交流データ受信部として機能し、
前記定型フォーム記憶部が、ソーシャル・ネットワーキング・サービス毎に異なる前記定型フォームを記憶し、当該各定型フォームは、前記定型フォームに含まれる前記画像として、前記交流データを構成する各メッセージが合成されるそれぞれのメッセージ合成用画像を記憶し、
前記印刷用データ作成部が、前記交流データを送信してきた前記サーバーで提供されているソーシャル・ネットワーキング・サービスの種別に対応付けられた定型フォームを前記定型フォーム記憶部から読み出し、当該読み出した定型フォームを用いて、前記各メッセージを前記メッセージ合成用画像に合成し、当該各メッセージに付随する客体情報及び時期情報に従って、前記各メッセージが合成された前記メッセージ合成用画像を客体別及び時刻順に並べて、前記印刷用データを作成するように、前記情報処理装置を機能させる印刷プログラム。
【国際調査報告】
2017187561.tif 000015
2017187561.tif 000016
2017187561.tif 000017
2017187561.tif 000018